(57)【要約】 【課題】  コネクタの大型化を招くことなくムービングプレートの移動時のがたつきを防止する。【解決手段】  フード部３２の奥面には、リブ４５とムービングプレート５０が初期位置から押し込まれることを規制する係止片４７とが立てられる。ムービングプレート５０のプレート本体５１には、リブ４５と係止片４７とを挿通する挿通孔６２が形成される。挿通孔６２の孔縁には、ガイド壁６４，６５が立てられ、ガイド壁６５には、係止片４７に係止可能な被係止爪６６が形成される。ムービングプレート５０が初期位置から押し込まれる際、外周側が案内されることに加えて、リブ４５の外周面の３面が、ガイド壁６４，６５の内周面に摺接しつつ押し込まれる。ムービングプレート５０の内部側において傾きを規制する部位が設けられることで、がたつきが最小限に抑えられる。【選択図】  図１０
2006331925.tif 000002
【特許請求の範囲】
【請求項１】
フード部を有し雄端子がそのタブを前記フード部内に突出させた状態で収容された雄ハウジングと、前記フード部内に嵌合される雌ハウジングと、前記雄端子のタブが貫通される保持孔が開口され前記フード部内に前記両ハウジングの嵌合方向に沿って移動可能に挿入されたムービングプレートとが具備され、このムービングプレートは、前記雄端子のタブの先端が前記保持孔に臨んだ初期位置から前記雌ハウジングで押されることにより前記フード部の奥面に移動するコネクタにおいて、
前記フード部の奥面には、嵌合方向に沿ったリブが立てられる一方、前記ムービングプレートには前記リブが挿通される孔が開口されていることを特徴とするコネクタ。
【請求項２】
前記孔の孔縁には、前記リブに沿ったガイド壁が立設されていることを特徴とする請求項１記載のコネクタ。
【請求項３】
前記フード部の奥面には、前記ムービングプレートの前記孔を貫通するようにして弾性係止片が立てられ、前記ムービングプレートに設けられた被係止部が前記弾性係止片に係止されることで、前記ムービングプレートが初期位置から奥方へ移動することが規制されるようになっており、前記被係止部が前記ガイド壁に形成されていることを特徴とする請求項２記載のコネクタ。
【請求項４】
前記雌ハウジングの嵌合面には、前記リブが嵌入される嵌入溝が形成されていることを特徴とする請求項１ないし請求項３のいずれかに記載のコネクタ。
【発明の詳細な説明】
【技術分野】
【０００１】
本発明は、ムービングプレートを備えたコネクタに関する。
【背景技術】
【０００２】
ムービングプレートを備えたコネクタは、雄ハウジングのフード部内に突出した雄端子のタブを正確に整列し、またタブが外力で変形するのを阻止すること等を意図して形成されており、例えば特許文献１に記載されたものが知られている。ムービングプレートは、雄端子のタブが貫通される保持孔を有し、フード部内に両ハウジングの嵌合方向に沿って移動可能に挿入されており、初めはタブの先端を保持孔に臨ませる程度でフード部の開口側に装着され、雄ハウジングのフード部内に相手の雌ハウジングが嵌合されると、タブが保持孔内を相対的に進入してムービングプレートがフード部の奥方に移動しつつ、雌雄の対向した端子金具同士が接続されるようになっている。  
一方、ムービングプレートをフード部内で移動案内する手段としては、ムービングプレートに周壁を設けて、この周壁をフード部の内周面に沿って摺動させるようにしていた。
【特許文献１】特開平１１−２０４１８４号公報
【発明の開示】
【発明が解決しようとする課題】
【０００３】
しかしながら、多極化等に伴って雄ハウジングが大型化し、特に横長または縦長の形状になると、上記の案内構造では、長さ方向においてがたつきが出る傾向となる。尤も、ムービングプレートの周壁の長さを大きく取れば、がたつきを減らすことができるが、それに応じてフード部を延長する必要が生じ、ひいては相手の雌ハウジングも含めてコネクタ全体のさらなる大型化を招くおそれがあるため、単純には対応できない。  
本発明は上記のような事情に基づいて完成されたものであって、その目的は、コネクタの大型化を招くことなくムービングプレートの移動時のがたつきを防止するところにある。
【課題を解決するための手段】
【０００４】
上記の目的を達成するための手段として、請求項１の発明は、フード部を有し雄端子がそのタブを前記フード部内に突出させた状態で収容された雄ハウジングと、前記フード部内に嵌合される雌ハウジングと、前記雄端子のタブが貫通される保持孔が開口され前記フード部内に前記両ハウジングの嵌合方向に沿って移動可能に挿入されたムービングプレートとが具備され、このムービングプレートは、前記雄端子のタブの先端が前記保持孔に臨んだ初期位置から前記雌ハウジングで押されることにより前記フード部の奥面に移動するコネクタにおいて、前記フード部の奥面には、嵌合方向に沿ったリブが立てられる一方、前記ムービングプレートには前記リブが挿通される孔が開口されている構成としたところに特徴を有する。  
請求項２の発明は、請求項１に記載のものにおいて、前記孔の孔縁には、前記リブに沿ったガイド壁が立設されているところに特徴を有する。
【０００５】
請求項３の発明は、請求項２に記載のものにおいて、前記フード部の奥面には、前記ムービングプレートの前記孔を貫通するようにして弾性係止片が立てられ、前記ムービングプレートに設けられた被係止部が前記弾性係止片に係止されることで、前記ムービングプレートが初期位置から奥方へ移動することが規制されるようになっており、前記被係止部が前記ガイド壁に形成されているところに特徴を有する。  
請求項４の発明は、請求項１ないし請求項３のいずれかに記載のものにおいて、前記雌ハウジングの嵌合面には、前記リブが嵌入される嵌入溝が形成されているところに特徴を有する。
【発明の効果】
【０００６】
＜請求項１の発明＞
ムービングプレートは、そこに開口された孔にフード部の奥面から立てられたリブを挿通しつつ、フード部内を嵌合方向に沿って移動する。ムービングプレートの内部側において傾きを規制する部位が設けられ、外周のみで傾きが規制される場合と比較すると、傾きを規制する部位の間のスパンが短くなり、もってムービングプレートの傾きが小さく抑えられる。その結果、ムービングプレートをがたつきなく移動させることができ、しかもリブ、孔ともに、言わばデッドスペースに設けられるのであるから、ハウジングひいてはコネクタの大型化を招くおそれもない。  
＜請求項２の発明＞
リブがガイド壁に摺接することにより、傾きを規制する部位の長さが大きく取られるから、ムービングプレートの傾きがさらに抑えられる。
【０００７】
＜請求項３の発明＞
弾性係止片が被係止部に弾性的に係止することで、ムービングプレートが初期位置から奥方へ移動することが規制されるが、被係止部がガイド壁に形成されていることによって、構造がコンパクトとなり、また被係止部の補強にも有効となる。  
＜請求項４の発明＞
雌雄のハウジングの嵌合に伴い、リブが相手の嵌入溝に嵌入される。ハウジング同士の嵌合時のこじり防止に有効となる。
【発明を実施するための最良の形態】
【０００８】
＜実施形態＞
以下、本発明の一実施形態を図１ないし図１４に基づいて説明する。本実施形態では、レバー式の防水コネクタを例示している。  
本実施形態のコネクタは、図１ないし図３に示すように、互いに嵌合可能な雌コネクタＦと雄コネクタＭとから構成され、雄コネクタＭにムービングプレート５０が装着されている。なお以下の説明では、各コネクタＦ，Ｍにおいて、嵌合面側を前面として説明する。
【０００９】
雌コネクタＦは、上下方向に細長い合成樹脂製の雌ハウジング１０と、雌ハウジング１０の周面から後方を覆って被着されたゴム製のグロメット１１と、このグロメット１１の外側に装着された合成樹脂製のグロメットカバー１２と、グロメットカバー１２の外側に装着されて両コネクタＦ，Ｍの嵌合操作を行うレバー２２とを備えている。  
雌ハウジング１０には、図４に示すように、正面から見た右側の領域に、大型のキャビティ１５Ｌが縦一列に並んで形成され、それぞれに大型の雌端子金具１６Ｌ（以下、大雌端子１６Ｌという）が挿入されて収容されている。一方、左側の領域には、上下２個の収容室１７が形成され、各収容室１７には、小型の雌端子金具１６Ｓ（以下、小雌端子１６Ｓという）をキャビティ１５Ｓ内に整列して挿入してなるサブハウジング１８がそれぞれ収容されている。  
両雌端子金具１６Ｌ，１６Ｓに接続された電線１９は、雌ハウジング１０の後面から引き出されたのち纏められ、グロメット１１に設けられた電線導出部１１Ａ内を通って下方へ導出されている。
【００１０】
グロメットカバー１２は、グロメット１１ともども、雌ハウジング１０の外周面に突設され掛止突部２０に掛止することで装着されており、グロメットカバー１２には、レバー２２が回動可能に装着されている。  
レバー２２は、一対のアーム部２３の基端部同士を操作部２４で連結した全体として門型形状に形成され、アーム部２３の先端側の拡幅部には、雄ハウジング３０側に設けられたフォロワピン３９（図１参照）が嵌合するカム溝２５が形成されている。レバー２２は、アーム部２３の拡幅部に開口された軸孔２６を、グロメットカバー１２の両側面に突設された軸２７に嵌めることで、回動可能に支持されている。
【００１１】
続いて、雄コネクタＭについて説明する。雄コネクタＭは、合成樹脂製の雄ハウジング３０を有しており、図３に示すように、上下方向に細長いブロック状の端子収容部３１と、この端子収容部３１よりも一回り大きくて前方へ開口した略角筒状のフード部３２とから構成されている。端子収容部３１には、図５にも示すように、上記した雌ハウジング１０側と対応するようにして、正面から見た左側の領域に、大型のキャビティ３５Ｌが縦一列に並んで形成され、それぞれ大型の雄端子金具３６Ｌ（以下、大雄端子３６Ｌという）が挿入されて収容されており、タブ３４Ｌがフード部３２の奥面からフード部３２内に突出している。また、右側の領域には上下２個の収容室３７が形成され、各収容室３７には、小型の雄端子金具３６Ｓ（以下、小雄端子３６Ｓという）をキャビティ３５Ｓ内に整列して挿入してなるサブハウジング３８がそれぞれ収容されている。各小雄端子３６Ｓのタブ３４Ｓは、サブハウジング３８の前面から突出し、ひいては奥面からフード部３２内に突出している。  
なお、フード部３２の内周面のうち長辺側の両側面には、上記したレバー２２のカム溝２５に嵌合する一対のフォロワピン３９が突設されている。
【００１２】
ムービングプレート５０は同じく合成樹脂製であって、図２，３並びに図６ないし図９に示すように、上下方向に細長い平板状なすプレート本体５１の周縁から、短寸の周壁５２を前方に突出して設けた全体としては浅皿状に形成されている。このムービングプレート５０内に、雌ハウジング１０の前端側が嵌合可能となっている。プレート本体５１には、上記した端子収容部３１の各キャビティ３５Ｌ，３５Ｓと対応する位置に、多数の保持孔５４が板厚方向（前後方向）に貫通して設けられている。  
一方、周壁５２の前縁には、外向きに張り出したフランジ５５が連設され、このフランジ５５の前面の四つの角からそれぞれ前側突壁５６が突設され、この前側突壁５６は、フード部３２の内周面の四隅にほぼ緊密に嵌合するように丸みを帯びて形成されている。また、プレート本体５１の裏面における上下の周縁部には、角に丸みを付けた門形をなす後側突壁５７が、対向するようにして突設されており、一方フード部３２の奥面には、上記の後側突壁５７が挿入される挿入溝４１が形成されている。
【００１３】
ムービングプレート５０はフード部３２内に前方から挿入され、詳しくは後記するように、プレート本体５１がフード部３２の奥面から所定寸法前方に位置する初期位置（図１１，１２参照）と、同プレート本体５１がフード部３２の奥面に当接する終端位置（図１３，１４参照）との間で、前後方向すなわち両ハウジング１０，３０の嵌合方向に移動可能となっている。この間、ムービングプレート５０の前側突壁５６は、フード部３２の内周面の四隅に摺接し、また後側突壁５７が、フード部３２の奥面の挿入溝４１内に摺接して案内されるようになっている。  
ムービングプレート５０が初期位置にある状態では、フード部３２内に突出した各雄端子金具３６Ｌ，３６Ｓのタブ３４Ｌ，３４Ｓの先端が保持孔５４内に嵌合され、タブ３４Ｌ，３４Ｓの上下左右方向の遊動が規制されるようになっている。一方、ムービングプレート５０が終端位置に移動した状態では、保持孔５４が各タブ３４Ｌ，３４Ｓの基端に嵌合するようになっている。
【００１４】
ムービングプレート５０におけるフランジ５５の長辺側の左右両側縁には、図８，９に示すように、上下一対ずつの弾性係合片５９が前方へ突出して設けられている。なお、上下の弾性係合片５９の間には逃がし溝５８が形成され、ムービングプレート５０がフード部３２内に挿入される際には、逃がし溝５８を通してフォロワピン３９が逃がされるようになっている。  
各弾性係合片５９は、互いに同形同大で嵌合中心を挟んだ対称位置に設けられ、それぞれの先端部に、外側に張り出した係合突起６０が形成され、内方に向けて撓み変形可能となっている。
【００１５】
一方、雄ハウジング３０のフード部３２における長辺側の内周面には、フォロワピン３９よりも後方において、上記したムービングプレート５０の弾性係合片５９と係合する第１係合孔４３と第２係合孔４４とが形成されている。第１係合孔４３は、図１１に示すように、前面側が嵌合方向と直交する垂直面４３Ａで、後面側は急なテーパ面４３Ｂとされている。一方、第２係合孔４４は、前面側が緩やかなテーパ面４４Ａで、後面側は急なテーパ面４４Ｂとされている。  
そして、ムービングプレート５０の弾性係合片５９の係合突起６０が第１係合孔４３に嵌まることで、ムービングプレート５０が初期位置に保持される。ただし、第１係合孔４３の後面側は急なテーパ面４４Ｂでいわゆるセミロック構造となっているから、ムービングプレート５０に対して奥方への押圧力が作用すると、ムービングプレート５０は終端位置に向けて移動可能となっている。  
また、弾性係合片５９の係合突起６０が第２係合孔４４に嵌まることで、ムービングプレート５０が終端位置に保持される。ただし、第２係合孔４４の前面側は緩やかなテーパ面４４Ａとなっているから、逆にムービングプレート５０に対して、前方への引き戻し力が作用すると、初期位置に向けて移動可能となっている。
【００１６】
さらに、ムービングプレート５０の前後方向の移動をスムーズに行うための手段が講じられている。  
雄ハウジング３０のフード部３２の奥面、言い換えると端子収容部３１の前面における上下の収容室１７の間の位置から、リブ４５が立てられている。このリブ４５は、図５に示すように、正面から見てやや横長断面の略角柱状に形成され、図１０に示すように、先端がほぼフォロワピン３９の位置に達する高さを有している。なお、上記のリブ４５は、正面から見た右側の領域において、基端から先端の少し下方位置まで拡幅されている。
【００１７】
リブ４５の内方の隣りには、ムービングプレート５０が初期位置から押し込まれることを規制する係止片４７が立てられている。係止片４７は、上記したリブ４５の幅狭部と同幅で、リブ４５の半分ほどの高さを有しており、先端側がリブ４５と接離する方向に撓み変形可能となっている。係止片４７の先端部におけるリブ４５とは反対側の面には係止突起４８が形成されている。この係止突起４８の前面は、図５における下側の略２／３の領域が逆テーパ状の係止面４８Ａで、残りが順テーパ状の解除面４８Ｂとされている。
【００１８】
一方、ムービングプレート５０のプレート本体５１には、上記したリブ４５と係止片４７とを挿通する挿通孔６２が形成されている。この挿通孔６２は、図５に示すように、リブ４５と係止片４７とが丁度通ることが可能な大きさと形状をもって開口している。  
そして、この挿通孔６２における正面から見た右側の拡幅部６２Ａにおける孔縁には、門形をなすガイド壁６４が立てられている。このガイド壁６４は、ムービングプレート５０の周壁５２とほぼ高さを持っており、ガイド壁６４の内周面に、リブ４５における拡幅部４５Ａの３側面が摺接されるようになっている。
【００１９】
挿通孔６２における幅狭部側の孔縁のうちの、図５の下側の縁辺から、左側の縁辺の下方領域にわたっては、Ｌ字型をなしかつ上記のガイド壁６４よりは若干背の低いガイド壁６５が形成されている。このガイド壁６４における下側の内面に、リブ４５の幅狭部における対応する面が摺接される。  
また、このガイド壁６５における左側壁の突出端には、上記した係止片４７の係止面４８Ａに係止可能な被係止爪６６が形成されている。
【００２０】
上記したリブ４５は、両ハウジング１０，３０の誤結合を防止する機能も果たすようになっている。そのため、上記した雌ハウジング１０の前面には、リブ４５の立てられた位置と対応して、リブ４５の先端側が嵌入可能な嵌入溝２８が形成されている。  
なお、この嵌入溝２８における一隅（正面から見た右上隅部）には、上記したムービングプレート５０に設けられた係止片４７における係止突起４８の解除面４８Ｂに当接可能な解除部２９が設けられている。すなわち、フード部３２内に雌ハウジング１０が進入して解除部２９が係止突起４８の解除面４８Ｂを押圧すると、係止片４７が強制的に撓み変形し、係止突起４８の係止面４８Ａが被係止爪６６から外れるようになっている。
【００２１】
さらに、雌雄のハウジング１０，３０間のシール構造を説明する。ムービングプレート５０の構造は既述したとおりであるが、ムービングプレート５０内に嵌合される雌ハウジング１０の前端部は、所定幅の部分が縮径されて段付き形状となっており、この縮径された外周面が、雌ハウジング１０側のシール面７０となっている。このシール面７０は、雌ハウジング１０がムービングプレート５０の奥まで押し込まれた場合に、ムービングプレート５０の周壁５２の内周面と、所定のクリアランスを介して対向するようになっている。  
また、雄ハウジング３０におけるフード部３２の内周面では、奥側の所定幅の部分が、Ｃ面を介して内方に張り出した縮径面とされており、この縮径面が、雄ハウジング３０側のシール面７１となっている。このシール面７１は、ムービングプレート５０が終端位置まで移動した場合に、ムービングプレート５０の周壁５２の外周面と、上記と同じ所定のクリアランスを介して対向するようになっている。
【００２２】
ムービングプレート５０の周壁５２には、その内周面側、詳細にはプレート本体５１の前面から周壁５２の先端までの領域に、雌ハウジング１０との間のシールを採るための内シールリング７３が設けられている。また、周壁５２の外周面側、詳細にはフランジ５５からプレート本体５１の後面までの領域に、フード部３２との間のシールを採るための外シールリング７４が設けられている。  
これらの内外のシールリング７３，７４は、二色成形によってムービングプレート５０と一体に形成されている。これは例えば、二色射出成形機により異材質から一体成形品が成形されており、ムービングプレート５０は硬質の合成樹脂材からなり、シールリング７３，７４はエラストマーからなっている。
【００２３】
内外のシールリング７３，７４は、それぞれ環形本体部７６の外周面にリップ７７が形成された形状であり、環形本体部７６の厚さ並びにリップ７７の高さ等の形状は同じであるが、内シールリング７３では、リップ７７が３条形成されているのに対して、外シールリング７４では、形成されたリップ７７は２条のみとなっている。  
これはすなわち、内シールリング７３が雌ハウジング１０側のシール面７０に密着された場合に比べて、外シールリング７４が雄ハウジング３０側のシール面７１に密着された場合の方が、リップ７７の潰し量が少なく、したがって内シールリング７３と雌ハウジング１０側のシール面７０との間の摩擦力よりも、外シールリング７４と雄ハウジング３０側のシール面７１との間の摩擦力の方が小さくなる設定とされる。
【００２４】
続いて、本実施形態の作用を説明する。まず、図２及び図３に示すように、雄ハウジング３０のフード部３２内にムービングプレート５０を前方から挿入して、初期位置に保持する。初期位置におけるムービングプレート５０は、各弾性係合片５９の係合突起６０が対応する第１係合孔４３内に嵌合することで、後方への抜け止めがなされる。また、プレート本体５１の裏面の上下両縁部に設けられた後側突壁５７が、フード部３２の奥面の挿入溝４１の入口に挿入される。さらに、図１０に示すように、リブ４５ともども係止片４７が挿通孔６２を貫通して前方に突出し、被係止爪６６が係止片４７の係止突起４８の係止面４８Ａに係止されることで、ムービングプレート５０がそれ以上奥へ押し込まれることが規制される。
【００２５】
次に、雄ハウジング３０のフード部３２内に雌ハウジング１０を嵌合する。雌ハウジング１０は、リブ４５を嵌入溝２８に嵌入させつつ嵌合され、図１１及び図１２に示すように、嵌合の終盤になると、内シールリング７３の３条のリップ７７を潰しつつ、雌ハウジング１０の前端部のシール面７０が内シールリング７３の内側に嵌入される。雌ハウジング１０の前面がプレート本体５１に当たるまで嵌合されると、雌ハウジング１０の嵌入溝２８側に設けられた解除部２９が、係止片４７の係止突起４８における解除面４８Ｂを押すことで係止片４７を強制的に撓み変形させ、被係止爪６６から外す。すなわち、ムービングプレート５０が奥側に押し込み可能な状態にされる。  
このとき併せて、雄ハウジング３０に設けられたフォロワピン３９が、雌コネクタＦに装着されたレバー２２のカム溝２５の始端位置に進入する。
【００２６】
この状態から、雌コネクタＦ側に装着されたレバー２２を回動操作すると、フォロワピン３９がカム溝２５に沿って移動し、そのときのカム作用により、雌ハウジング１０がフード部３２の奥方へと押し込まれる。このときレバー２２による操作力は、弾性係合片５９と第１係合孔４３とによるセミロック構造の係止力を上回るから、弾性係合片５９が撓み変形して第１係合孔４３から抜け出つつ、ムービングプレート５０はフード部３２内を終端位置に向けて押し込まれる。
【００２７】
その際、ムービングプレート５０の外周に設けられた前側突壁５６が、フード部３２の内周面の四隅に摺接し、プレート本体５１の裏面における上下両縁の後側突壁５７が、フード部３２の奥面の挿入溝４１に摺接することに加え、フード部３２の奥面の中央部から立てられたリブ４５の外周面の３面が、ムービングプレート５０の挿通孔６２の孔縁に立てられたガイド壁６４，６５の内周面に摺接することにより、ムービングプレート５０はがたつきが最小限に抑えられてスムーズに押し込まれる。
【００２８】
ムービングプレート５０が終端位置近くまで押し込まれると、２条のリップ７７を潰しつつ、外シールリング７４が雄ハウジング３０側のシール面７１の内側に嵌合される。レバー２２が回動終端位置まで回動されると、図１３及び図１４に示すように、ムービングプレート５０のプレート本体５１がフード部３２の奥面に当接し、弾性係合片５９の係合突起６０が第２係合孔４４に嵌って保持される。それに伴い、レバー２２がロックされて両ハウジング１０，３０が正規嵌合状態に保持される。  
この間、雄ハウジング３０に収容された雄端子３６Ｌ，３６Ｓの各タブ３４Ｌ，３４Ｓは、ムービングプレート５０の対応する保持孔５４に貫通されることで真直姿勢に維持され、相手の雌端子１６Ｌ，１６Ｓとの間で正規に接続される。また、ムービングプレート５０の周壁５２の内外に設けられた内シールリング７３と外シールリング７４とは、それぞれ雌ハウジング１０側のシール面７０と雄ハウジング３０側のシール面７１とに弾性的に密着され、雌雄のハウジング１０，３０間のシールが取られる。
【００２９】
一方、メンテナンス等において雌雄のコネクタＦ，Ｍを離脱させる場合は、図１３及び図１４の状態から、ロックを外してレバー２２を回動終端位置から回動始端位置に向けて上記とは逆向きに回動する。この逆向きの回動に伴うフォロワピン３９とカム溝２５との間のカム作用により、雌ハウジング１０に対して雄ハウジング３０のフード部３２から抜け出る方向の力が作用する。  
ここで、ムービングプレート５０に設けられた内シールリング７３と外シールリング７４とは、リップ７７の条数において３条と２条とに差が付けられ、内シールリング７３と雌ハウジング１０側のシール面７０との間の摩擦力に比べて、外シールリング７４と雄ハウジング３０側のシール面７１との間の摩擦力の方が小さい設定となっている。
【００３０】
そのため上記のように、雌ハウジング１０に対して抜脱方向の力が作用した場合、摩擦力の小さい外シールリング７４がフード部３２のシール面７１から離脱ししつ、ムービングプレート５０は内シールリング７３を介して雌ハウジング１０と連れ立って引き抜かれる。このとき、第２係合孔４４の前面は緩やかなテーパ面４４Ａとなっているから、弾性係合片５９は撓み変形して容易に第２係合孔４４から抜け出、すなわちムービングプレート５０はスムーズに前方に引き抜かれる。
【００３１】
レバー２２が回動始端位置まで回動されると、ムービングプレート５０が雌ハウジング１０に連れ立って初期位置まで戻され、図１１及び図１２に示すように、弾性係合片５９の係合突起６０が第１係合孔４３に嵌ることで、それ以上に前方への移動が規制される。なおこの間に、ムービングプレート５０の被係止爪６６が、係止突起４８を押圧して係止片４７を撓み変形させつつ前方に移動し、上記のようにムービングプレート５０が初期位置に戻ったところで、被係止爪６６が係止突起４８を通過するために、図１０に示すように、被係止爪６６が係止突起４８の係止面４８Ａに係止されて、奥方への移動も規制された状態となる。
【００３２】
上記のようにムービングプレート５０が初期位置に引き戻されたら、引き続いて雌コネクタＦを引き抜くと、弾性係合片５９と第１係合孔４３との間の係止力に比べて、外シールリング７４と雌ハウジング１０側のシール面７０との間の摩擦力の方が小さいから、外シールリング７４をシール面７０から離脱させつつ、図２及び図３に示すように、ムービングプレート５０を初期位置に残したままで、雌ハウジング１０がムービングプレート５０内から引き抜かれる。
【００３３】
以上のように本実施形態によれば、ムービングプレート５０が初期位置から終端位置に押し込まれる際、その外周側に設けられた前側突壁５６が、フード部３２の内周面の四隅に摺接し、またプレート本体５１の裏面における上下両縁の後側突壁５７が、フード部３２の奥面の挿入溝４１に摺接することに加え、フード部３２の奥面の中央部から立てられたリブ４５の外周面の３面が、ムービングプレート５０の挿通孔６２の孔縁に立てられたガイド壁６４，６５の内周面に摺接しつつ押し込まれる。  
端的には、ムービングプレート５０の内部側において傾きを規制する部位が設けられ、外周のみで傾きが規制される場合と比較すると、傾きを規制する部位の間のスパンが短くなり、しかもガイド壁６４，６５が立てられてリブ４５が摺接する距離が長く取られていることから、ムービングプレート５０はがたつきが最小限に抑えられてスムーズに押し込まれる。また、リブ４５と、ガイド壁６４，６５を含む挿通孔６２とは、言わばデッドスペースに設けられるのであるから、雄ハウジング３０、ひいては雌雄のコネクタＦ，Ｍの大型化を招くおそれもない。
【００３４】
また、弾性係止片４７が被係止爪６６に弾性的に係止することで、ムービングプレート５０が初期位置から奥方へ移動することが規制されるが、被係止爪６６がガイド壁６５に形成されていることで構造がコンパクトとなり、また被係止爪６６の補強にも有効となる。  
さらにリブ４５は、雌雄のハウジング１０，３０の嵌合に伴い、相手の嵌入溝２８に嵌入されるようにしたから、ハウジング１０，３０同士の嵌合時のこじり防止に有効となる。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、リブと弾性係止片とを並べて設けて共通の挿通孔に通す構造としたが、リブと弾性係止片とを離間して設けて、個別の挿通孔に通すようにしても良い。  
（２）リブと挿通孔とを２箇所以上に設けてもよく、数が多くなるほど傾きを規制する部位の間のスパンを短くでき、ムービングプレートのがたつき防止がより有効に行える。
【００３６】
（３）挿通孔の孔縁にガイド壁が立てられていなくても、リブを挿通孔の孔縁に摺接できる限りは、傾きを規制する部位の間のスパンを短くできてがたつき防止に有効であり、そのようなものも本発明の技術的範囲に含まれる。  
（４）本発明は、レバーを使用しないムービングプレート付きのコネクタにも同様に適用可能である。  
（５）またハイブリッド形式ではなく、１種類の端子金具を収容したコネクタにも同様に適用することができる。
【図面の簡単な説明】
【００３７】
【図１】本発明の一実施形態に係る雌雄のコネクタの嵌合前の状態の斜視図
【図２】同平断面図
【図３】同縦断面図
【図４】雌コネクタの正面図
【図５】雄コネクタの正面図
【図６】ムービングプレートの正面図
【図７】同背面図
【図８】同側面図
【図９】同平面図
【図１０】ムービングプレートが初期位置に装着された状態の平断面図
【図１１】雌ハウジングがムービングプレート内に装着された状態の平断面図
【図１２】同縦断面図
【図１３】両ハウジングが嵌合された状態の平断面図
【図１４】同縦断面図
【符号の説明】
【００３８】
１０…雌ハウジング
１６Ｌ，１６Ｓ…雌端子
２８…嵌入溝
３０…雄ハウジング
３２…フード部
３４Ｌ，３４Ｓ…タブ
３６Ｌ，３６Ｓ…雄端子
４１…挿入溝
４５…リブ
４７…弾性係止片
５０…ムービングプレート
５１…プレート本体
５４…保持孔
５６…前側突壁
５７…後側突壁
６２…挿通孔（孔）
６４，６５…ガイド壁
６６…被係止爪（被係止部）
【図１】
2006331925.tif 000003
【図２】
2006331925.tif 000004
【図３】
2006331925.tif 000005
【図４】
2006331925.tif 000006
【図５】
2006331925.tif 000007
【図６】
2006331925.tif 000008
【図７】
2006331925.tif 000009
【図８】
2006331925.tif 000010
【図９】
2006331925.tif 000011
【図１０】
2006331925.tif 000012
【図１１】
2006331925.tif 000013
【図１２】
2006331925.tif 000014
【図１３】
2006331925.tif 000015
【図１４】
2006331925.tif 000016